(57)【要約】  印刷や刻印等によって得られる模様とは趣を異にする独特な平面的な模様を有する金属部品、及びこのような金属部品の形成方法を提供する。金属部品の一例である飾りボタン（１０）となる中間部材（１０ａ）を得る。中間部材（１０ａ）の一面（１２ａ）には、該一面（１２ａ）から隆起する、最終的に模様（１８）とする凸部（１８ａ）が形成されている。中間部材（１０ａ）の外側面全域にメッキを施した後、凸部（１８ａ）に対するメッキを除去する。次いで、凸部（１８ａ）を一面（１２ａ）と面一となるように押し潰して模様（１８）とすることにより、一面（１２）に模様（１８）を有する飾りボタン（１０）が形成される。
2012056519.tif 000002
【特許請求の範囲】
【請求項１】
少なくとも一つの外側面（１２、５２、６２、１３４、１４３、１６３ａ、１６３ｂ、１７５、１８２、１９３、２１１）に模様（１８、５８、６８、７８、１３８、１４８、１６８、１７８、１８８、１９８、２１８）を有する金属部品（１０、５０、６０、７０、１３０、１４０、１６０、１７０、１８０、１９０、２００、２１０）を形成する方法であって、
前記金属部品（１０、５０、６０、７０、１３０、１４０、１６０、１７０、１８０、１９０、２００、２１０）となる中間部材（１０ａ、５０ａ、６０ａ、７０ａ、１３０ａ、１４０ａ、１６０ａ、１７０ａ、１８０ａ、１９０ａ、２１０ａ）を得る工程にして、該中間部材（１０ａ、５０ａ、６０ａ、７０ａ、１３０ａ、１４０ａ、１６０ａ、１７０ａ、１８０ａ、１９０ａ、２１０ａ）の前記外側面（１２、５２、６２、１３４、１４３、１６３ａ、１６３ｂ、１７５、１８２、１９３、２１１）に対応する中間外側面（１２ａ、５２、６２、１３４、１４３、１６３ａ、１６３ｂ、１７５、１８２、１９３、２１１）に、該中間外側面（１２ａ、５２、６２、１３４、１４３、１６３ａ、１６３ｂ、１７５、１８２、１９３、２１１）から隆起する、前記模様（１８、５８、６８、７８、１３８、１４８、１６８、１７８、１８８、１９８、２１８）に対応する凸部（１８ａ、５８ａ、６８ａ、７８ａ、１３８ａ、１４８ａ、１６８ａ、１７８ａ、１８８ａ、１９８ａ、２１８ａ）を有する中間部材（１０ａ、５０ａ、６０ａ、７０ａ、１３０ａ、１４０ａ、１６０ａ、１７０ａ、１８０ａ、１９０ａ、２１０ａ）を得る工程と、
前記凸部（１８ａ、５８ａ、６８ａ、７８ａ、１３８ａ、１４８ａ、１６８ａ、１７８ａ、１８８ａ、１９８ａ、２１８ａ）を除き、前記中間外側面（１２ａ、５２、６２、１３４、１４３、１６３ａ、１６３ｂ、１７５、１８２、１９３、２１１）を中間部材（１０ａ、５０ａ、６０ａ、７０ａ、１３０ａ、１４０ａ、１６０ａ、１７０ａ、１８０ａ、１９０ａ、２１０ａ）の地色と異なる色の被覆材で被覆する工程と、
前記凸部（１８ａ、５８ａ、６８ａ、７８ａ、１３８ａ、１４８ａ、１６８ａ、１７８ａ、１８８ａ、１９８ａ、２１８ａ）を前記中間外側面（１２ａ、５２、６２、１３４、１４３、１６３ａ、１６３ｂ、１７５、１８２、１９３、２１１）と面一となるように押し潰して前記模様（１８、５８、６８、７８、１３８、１４８、１６８、１７８、１８８、１９８、２１８）とする工程とを含む金属部品の形成方法。
【請求項２】
前記凸部（１８ａ、５８ａ、６８ａ、７８ａ、１３８ａ、１４８ａ、１６８ａ、１７８ａ、１８８ａ、１９８ａ、２１８ａ）を除き、前記中間外側面（１２ａ、５２、６２、１３４、１４３、１６３ａ、１６３ｂ、１７５、１８２、１９３、２１１）を中間部材（１０ａ、５０ａ、６０ａ、７０ａ、１３０ａ、１４０ａ、１６０ａ、１７０ａ、１８０ａ、１９０ａ、２１０ａ）の地色と異なる色の被覆材で被覆する工程は、前記中間外側面（１２ａ、５２、６２、１３４、１４３、１６３ａ、１６３ｂ、１７５、１８２、１９３、２１１）を凸部（１８ａ、５８ａ、６８ａ、７８ａ、１３８ａ、１４８ａ、１６８ａ、１７８ａ、１８８ａ、１９８ａ、２１８ａ）を含めて被覆材で被覆する工程と、凸部（１８ａ、５８ａ、６８ａ、７８ａ、１３８ａ、１４８ａ、１６８ａ、１７８ａ、１８８ａ、１９８ａ、２１８ａ）に対する被覆材のみを除去する工程とを含む請求項１の金属部品の形成方法。
【請求項３】
前記被覆材の被覆は、メッキを施すことによって行われる請求項１又は２の金属部品の形成方法。
【請求項４】
前記金属部品は、ボタン（１０、５０、６０、１３０）、ボタンの構成部品（７０）、ボタン用の止具（１４０）、ボタン用の止具の構成部品（７０）、スライドファスナーの構成部品（１６０、１７０、１８０、１９０、２００）、及び、衣類、鞄類等に取り付ける金属プレート（２１０）からなる群から選択される請求項１〜３のいずれか一つの金属部品の形成方法。
【請求項５】
前記金属部品は、止具によって生地に取り付けられるダイキャスト製の飾りボタン（１０）であり、該飾りボタン（１０）は、前記模様（１８）を有するボタン本体（１１）と、ボタン本体（１１）から突出する、前記止具の軸部を係止するための、内径が突出方向に縮小する円筒部（１６）とを含み、前記中間部材（１０ａ）は、前記円筒部（１６）となる、内径が一定の中間円筒部（１６ａ）を有し、前記凸部（１８ａ）を前記中間外側面（１２ａ）と面一となるように押し潰して前記模様（１８）とする工程と同時に前記中間円筒部（１６ａ）の内径を突出方向に縮小させて前記円筒部（１６）とする請求項１〜３のいずれか一つの金属部品の形成方法。
【請求項６】
金属部品（１０、５０、６０、７０、１３０、１４０、１６０、１７０、１８０、１９０、２００、２１０）であって、少なくとも一つの外側面（１２、５２、６２、１３４、１４３、１６３ａ、１６３ｂ、１７５、１８２、１９３、２１１）に、金属部品（１０、５０、６０、７０、１３０、１４０、１６０、１７０、１８０、１９０、２００、２１０）の地色と異なる色の被覆材で被覆した被覆部分と、被覆材が無く金属部品（１０、５０、６０、７０、１３０、１４０、１６０、１７０、１８０、１９０、２００、２１０）の地色が露出する模様（１８、５８、６８、７８、１３８、１４８、１６８、１７８、１８８、１９８、２１８）とを有し、前記模様（１８、５８、６８、７８、１３８、１４８、１６８、１７８、１８８、１９８、２１８）が、前記外側面（１２、５２、６２、１３４、１４３、１６３ａ、１６３ｂ、１７５、１８２、１９３、２１１）から隆起し被覆材で被覆していない凸部（１８ａ、５８ａ、６８ａ、７８ａ、１３８ａ、１４８ａ、１６８ａ、１７８ａ、１８８ａ、１９８ａ、２１８ａ）を前記被覆部分と面一となるように押し潰して成る金属部品。
【請求項７】
前記金属部品は、ボタン（１０、５０、６０、１３０）、ボタンの構成部品（７０）、ボタン用の止具（１４０）、ボタン用の止具の構成部品（７０）、スライドファスナーの構成部品（１６０、１７０、１８０、１９０、２００）、及び、衣類、鞄類等に取り付ける金属プレート（２１０）からなる群から選択される請求項６の金属部品。
【発明の詳細な説明】
【技術分野】
【０００１】
本発明は、金属部品及び金属部品の形成方法に関し、更に詳しくは、独特な文字、図形、記号等の模様を有する金属製のボタン、スライドファスナー用の部品等の金属部品と、このような金属部品を形成する方法に関する。
【背景技術】
【０００２】
金属製のボタン、スライドファスナー用の下止具、引手等の表面には、従来から、印刷や刻印等によってロゴ等の模様が付与されているが、これらの模様はありふれている。また、特開昭６０−２３０３１号公報には、表部に凸部を有するボタン等を染色した後、バレル研磨して凸部の角の染料を除去することにより、古び色的な金属色調を施す方法が開示される。しかしながら、上記公報による方法は、凸部の無いボタン等には適用できず、また、平面的な模様を得ることができない。
【先行技術文献】
【特許文献】
【０００３】
【特許文献１】特開昭６０−２３０３１号公報
【発明の概要】
【発明が解決しようとする課題】
【０００４】
本発明の目的は、印刷や刻印等によって得られる模様とは趣を異にする独特な平面的な模様を有する金属部品、及びこのような金属部品の形成方法を提供することにある。
【課題を解決するための手段】
【０００５】
本発明によれば、上記課題を解決するため、少なくとも一つの外側面に模様を有する金属部品を形成する方法であって、前記金属部品となる中間部材を得る工程にして、該中間部材の前記外側面に対応する中間外側面に、該中間外側面から隆起する、前記模様に対応する凸部を有する中間部材を得る工程と、前記凸部を除き、前記中間外側面を中間部材の地色と異なる色の被覆材で被覆する工程と、前記凸部を前記中間外側面と面一となるように押し潰して前記模様とする工程とを含む金属部品の形成方法が提供される。【０００６】
本発明では、最終的にボタン等の金属部品となる中間部材の中間外側面に凸部を形成し、凸部以外の中間外側面を被覆材で被覆した後、凸部を中間外側面と段差なく連続するように押し潰すことにより、金属部品の外側面に、被覆材が部分的に存在せず金属部品の地色が露出して成る独特な模様を設けることができる。模様としては、例えば文字、図形、記号、これらの組合せ等が含まれるが、これらに限定されるものではない。【０００７】
本発明において、被覆材の被覆としては、メッキを施したり、染料を塗布もしくは浸漬する態様等を挙げることができるが、これらに限定されるものではない。【０００８】
本発明において、前記凸部を除き、前記中間外側面を中間部材の地色と異なる色の被覆材で被覆する工程は、凸部をマスクする等して最初から凸部に被覆材を被覆しない態様と、凸部に対しても被覆材を被覆した後、凸部に対する被覆材を除去する態様とを含む。【０００９】
本発明の一実施形態において、前記凸部を除き、前記中間外側面を中間部材の地色と異なる色の被覆材で被覆する工程は、前記中間外側面を凸部を含めて被覆材で被覆する工程と、凸部に対する被覆材のみを除去する工程とを含む。この場合、凸部の被覆材は研磨等によって取り去ることができる。また、凸部を規定する外側面全域の被覆材を完全に除去する必要は必ずしもなく、最終的に生じる模様や凸部の潰れ具合を考慮して、凸部に対する被覆材の少なくとも一部を除去することができる。【００１０】
本発明の一実施形態において、前記被覆材の被覆は、メッキを施すことによって行われる。メッキには、電気メッキ、無電解メッキ、溶融亜鉛メッキ、化成処理、化成着色等が含まれる。【００１１】
本発明において、前記金属部品は、ボタン、ボタンの構成部品、ボタン用の止具、ボタン用の止具の構成部品、スライドファスナーの構成部品、及び、衣類、鞄類等に取り付ける金属プレートからなる群から選択される。ここで、ボタンの例としては、飾りボタン、ボタンホールに出し入れされるボタン等を挙げることができる。ボタン又はボタン用の止具の構成部品としては、ボタン又は止具に組み付けられるキャップ部材等を挙げることができる。スライドファスナーの構成部品としては、ファスナーエレメント、下止具、上止具、スライダー、引手等を挙げることができる。衣類、鞄類等に取り付ける金属プレートは、衣服、鞄、ベルト等に主として装飾のために取り付けられる板状部品であり、表面にロゴ等が表示されるものである。【００１２】
本発明の一実施形態において、前記金属部品は、止具によって生地に取り付けられるダイキャスト製の飾りボタンであり、該飾りボタンは、前記模様を有するボタン本体と、ボタン本体から突出する、前記止具の軸部を係止するための、内径が突出方向に縮小する円筒部とを含み、前記中間部材は、前記円筒部となる、内径が一定の中間円筒部を有し、前記凸部を前記中間外側面と面一となるように押し潰して前記模様とする工程と同時に前記中間円筒部の内径を突出方向に縮小させて前記円筒部とする。この場合、中間部材の中間円筒部の縮径加工と同時に凸部を押し潰して模様とすることができる。なお、他の実施形態において、凸部を模様とする押し潰し加工は、中間円筒部の縮径加工の前又は後に行うことができる他、飾りボタンの生地への取り付け時に実行することもできる。【００１３】
別の本発明によれば、金属部品であって、少なくとも一つの外側面に、金属部品の地色と異なる色の被覆材で被覆した被覆部分と、被覆材が無く金属部品の地色が露出する模様とを有し、前記模様が、前記外側面から隆起し被覆材で被覆していない凸部を前記被覆部分と面一となるように押し潰して成る金属部品が提供される。かかる金属部品は、上述した金属部品の形成方法によって得ることができる。
【発明の効果】
【００１４】
本発明によれば、金属部品の外側面を、模様に対応する凸部以外を被覆材で被覆し、地色が露出する凸部を押し潰すことにより、被覆材が部分的に存在しない独特な模様を有するボタン等の金属部品を得ることができる。
【図面の簡単な説明】
【００１５】
【図１】図１は、本発明に係る金属部品の一例である飾りボタンを示す斜視図である。
【図２】図２は、図１の飾りボタンを止具を用いて生地に固定した状態を示す縦断面説明図である。
【図３】図３は、図１の飾りボタンとする中間部材を示す斜視図である。
【図４】図４は、図３の中間部材の平面図である。
【図５】図５は、外側面全域をメッキ処理した中間部材を示す斜視図である。
【図６】図６は、凸部のメッキを除去した中間部材を示す斜視図である。
【図７】図７は、上方ダイ、中間部材、及び下方ダイの配置状態を示す縦断面説明図である。
【図８】図８は、上方ダイと下方ダイ間で中間部材を圧縮した状態を示す縦断面説明図である。
【図９】図９は、本発明に係る金属部品である飾りボタンの別の例を示す斜視図である。
【図１０】図１０は、図９の飾りボタンとする中間部材の斜視図であり、メッキ処理及びメッキの一部除去後の中間部材が示される。
【図１１】図１１は、本発明に係る金属部品である飾りボタンの更に別の例を示す正面図である。
【図１２】図１２は、図１１の飾りボタンとする中間部材の平面図であり、メッキ処理及びメッキの一部除去後の中間部材が示される。
【図１３】図１３は、本発明に係る金属部品の一例であるキャップ部材を示す斜視図である。
【図１４】図１４は、図１３のキャップ部材とする中間部材を示す斜視図である。
【図１５】図１５は、外側面全域をメッキ処理した中間部材を示す斜視図である。
【図１６】図１６は、凸部のメッキを除去した中間部材を示す斜視図である。
【図１７】図１７は、上方ダイ、中間部材、及び下方ダイの配置状態を示す縦断面説明図である。
【図１８】図１８は、上方ダイと下方ダイ間で中間部材を圧縮した状態を示す縦断面説明図である。
【図１９】図１９は、図１３のキャップ部材が用いられたボタンを止具で生地に固定した状態を示す縦断面説明図である。
【図２０】図２０は、図１３のキャップ部材が用いられたボタン用の止具を示す縦断面破断説明図である。
【図２１】図２１は、本発明に係る金属部品の一例であるボタンを縦割にして斜視する説明図である。
【図２２】図２２は、図２１のボタンとする中間部材の図２１と同様の説明図であり、メッキ処理及びメッキの一部除去後の中間部材が示される。
【図２３】図２３は、本発明に係る金属部品の一例であるボタン用の止具を示す斜視図である。
【図２４】図２４は、図２３の止具とする中間部材の斜視図であり、メッキ処理及びメッキの一部除去後の中間部材が示される。
【図２５】図２５は、スライドファスナーを示す平面説明図である。
【図２６】図２６は、本発明に係る金属部品の一例であるスライドファスナー用の下止具を示す斜視図である。
【図２７】図２７は、図２６の下止具とする中間部材を示す斜視図である。
【図２８】図２８は、外側面全域をメッキ処理した中間部材を示す斜視図である。
【図２９】図２９は、凸部のメッキを除去した中間部材を示す斜視図である。
【図３０】図３０は、図２５のＡ−Ａ線に沿う部分断面説明図である。
【図３１】図３１は、下止具の変形例を示す図３０と同様の部分断面説明図である。
【図３２】図３２は、本発明に係る金属部品の一例であるスライドファスナー用の引手を示す斜視図である。
【図３３】図３３は、図３２の引手とする中間部材の斜視図であり、メッキ処理及びメッキの一部除去後の中間部材が示される。
【図３４】図３４は、本発明に係る金属部品の一例であるスライドファスナー用のスライダーを示す斜視図である。
【図３５】図３５は、図３４のスライダーとする中間部材の斜視図であり、メッキ処理及びメッキの一部除去後の中間部材が示される。
【図３６】図３６は、本発明に係る金属部品の一例であるスライドファスナー用のファスナーエレメントがファスナーテープに連結された状態を破断して示す斜視説明図である。
【図３７】図３７は、図３６のエレメントとする中間部材の正面図であり、メッキ処理後で、一対の連結片が開状態の中間部材が示される。
【図３８】図３８は、本発明に係る金属部品の一例である装飾用の金属プレートを示す斜視図である。
【図３９】図３９は、図３８の金属プレートとする中間部材の斜視図であり、メッキ処理及びメッキの一部除去後の中間部材が示される。
【発明を実施するための形態】
【００１６】
以下、本発明の好適な実施形態を図面を参照しつつ説明する。図１は、本発明の一実施形態に係る金属部品としての飾りボタン（以下単に「ボタン」ともいう）１０の斜視図である。図２は、ボタン１０をボタン用の止具２０を用いて生地１に固定した状態を示す縦断面図である。なお、図２における止具２０は、ボタン１０の生地１への取り付けのために変形しており、その初期形状は図２３に示すボタン用の止具１４０とほぼ同様である。ボタン１０は、アルミニウム合金、銅合金等から成り、例えばジーンズのポケットのカン止め等に用いられている。ボタン１０は、生地１に固定された状態で目視可能な表側面（１２、１３）及び生地１に接して見えない裏面１４（図２参照）を有する、外周が円形のボタン本体１１と、ボタン本体１１の裏面１４側に形成される、生地１を貫通した止具２０の軸部２１を受け入れ、変形させて係止するための軸部係止部１５とを備える。軸部係止部１５は、ボタン本体１１の裏面１４から軸方向下方（上下は図２に基づく）にボタン本体１１と同心状に突出する円筒部１６と、円筒部１６の半径方向内側において、ボタン本体１１の裏面１４のレベルを超えて上方に凹となる係止空間１７とを含む。円筒部１６の内径は、止具２０の軸部２１が抜けないように下方へと次第に若干縮小し、係止空間１７も下方へと縮径する。なお、円筒部１６は、最終的にボタン１０となる後述する中間部材１０ａ（図３等参照）をダイキャスト成形した後、中間部材１０ａの、内径が一定の中間円筒部１６ａを下方へと縮径（クロージング）加工することによって形成される。円筒部１６の半径方向に沿う厚さは下方へと次第に若干薄くなる。係止空間１７の上端面１７Ａは平坦で閉じている。
【００１７】
ボタン本体１１の表側面は、ボタン本体１１の軸線に垂直な水平面に沿いかつ該軸線と同心で平坦な円形面１２と、円形面１２の半径方向外側端から半径方向外側へと下方に傾斜する環状傾斜面１３とを有する。なお、裏面１４は円形面１２と平行である。環状傾斜面１３は、その半径方向外側下端部における、軸線に平行な環状垂直面を含む。ボタン１０の、係止空間１７が規定する面を除く外側面全域、すなわち、円形面１２、環状傾斜面１３、裏面１４、及び円筒部１６の外側面には、ボタン１０の地色とは異なる色の被覆材としてメッキが施されており、円形面１２の中央のハート形部分のみメッキが除去されている。このようなメッキの一部除去により、円形面１２の中央にボタン１０の地色が露出したハート形の模様１８が形成されている。なお、模様１８は円形面１２と面一である。本実施例では、メッキをボタン本体１１の円形面１２、環状傾斜面１３、裏面１４、及び円筒部１６の外側面に施したが、円形面１２及び環状傾斜面１３のみ、あるいは円形面１２のみにメッキを施すようにしてもよい。
【００１８】
次に、本発明に係る金属部品の形成方法の一実施形態として、上述した飾りボタン１０を形成する工程を説明する。図３は、最終的にボタン１０に加工されるダイキャスト半製品である中間部材１０ａを示す斜視図であり、図４は中間部材１０ａの平面図である。中間部材１０ａは、ボタン１０のボタン本体１１となる部材本体１１ａと、ボタン１０の軸部係止部１５（円筒部１６及び係止空間１７）となる中間円筒部１６ａ及び中間係止空間１７ａ（図７参照）とを有する。部材本体１１ａは、ボタン本体１１の円形面１２及び環状傾斜面１３となる中間円形面（中間外側面）１２ａ及び中間環状傾斜面１３ａと、裏面１４（図７参照。ボタン本体１１の裏面１４と実質的に同じであるため同じ参照番号を付す）とを含む。中間円形面１２ａは、ボタン１０の円形面１２よりも小径であり、かつ裏面１４からの軸方向高さが円形面１２のそれよりも高い。また、中間環状傾斜面１３ａの（半径方向外側下端部における）最大外径はボタン１０の環状傾斜面１３の最大外径と同じであるが、中間環状傾斜面１３ａの軸方向に沿う長さ（厚さ）は環状傾斜面１３よりも長い。中間円形面１２ａの中央には最終的に模様１８となるハート形の凸部１８ａが設けられている。凸部１８ａは、中間部材１０ａのダイキャスト成形型によって中間円形面１２ａから隆起するように形成される。凸部１８ａは、中間円形面１２ａと平行な上面１８ｂと、上面１８ｂに対しそれぞれほぼ垂直な外側側面１８ｃ及び内側側面１８ｄとを有する。中間部材１０ａにおいて、中間円筒部１６ａの内径及び中間係止空間１７ａの径はほぼ一定である（図７参照）。
【００１９】
次に、図５に示すように、上記中間部材１０ａの、係止空間１７ａが規定する面を除く外側面全域に中間部材１０ａの地色と異なる色のメッキを施す。なお、この際、部材本体１１ａの凸部１８ａを含む中間円形面１２ａのみ、あるいは中間円形面１２ａ及び中間環状傾斜面１３ａのみをメッキ処理してもよい。次いで、メッキを施した中間部材１０ａの外側面のうち、凸部１８ａの上面１８ｂ、外側側面１８ｃ及び内側側面１８ｄのメッキのみを研磨等により除去し、凸部１８ａ以外の中間円形面１２ａ、中間環状傾斜面１３ａ等におけるメッキはそのまま残す。これにより、図６に示すように、ハート形の凸部１８ａが中間部材１０ａの地色を露出する。なお、この際、凸部１８ａの上面１８ｂ上のメッキのみを除去し、凸部１８ａの外側側面１８ｃ及び内側側面１８ｄ上のメッキを残すようにしてもよい。更に別法として、中間部材１０ａの外側面をメッキ処理する際、凸部１８ａをフィルム等でマスク（マスキング）して凸部１８ａのみがメッキされないようにしてもよい。
【００２０】
次に、図７に示す上方ダイ３０及び下方ダイ４０を用いて、中間部材１０ａを軸方向に圧縮することにより、中間部材１０ａを最終製品である飾りボタン１０へと仕上げる。なお、上方ダイ３０と下方ダイ４０間において、中間部材１０ａは、中間円形面１２ａが下方に、中間円筒部１６ａが上方に来るように配置される。上方ダイ３０は、その底面３１から上方に凹となる、中間円筒部１６ａの縮径加工のための窪み３２と、窪み３２の半径方向内側において底面３１を超えて下方に突出する円柱状の押圧部３３とを有する。下方ダイ４０は、その上面４１から下方に凹となる、ボタン１０のボタン本体１１に合致する形状の凹部４２を有する。上方ダイ３０と下方ダイ４０間で中間部材１０ａを圧縮することにより、図８に示すように、中間部材１０ａの中間円筒部１６ａが上方ダイ３０の窪み３２によって突出方向に半径方向内側へと縮径し、ボタン１０の円筒部１６となる。これと同時に、中間部材１０ａの部材本体１１ａが下方ダイ４０の凹部４２内で軸方向に若干潰れると共に半径方向に若干拡張して凹部４２に合致し、ボタン１０のボタン本体１１となる。これに伴い、部材本体１１ａの中間円形面１２ａは半径方向外側に若干拡大してボタン１０の円形面１２となる。この時また、中間部材１０ａの中間円形面１２ａの凸部１８ａは、上方ダイ３０の押圧部３３が中間係止空間１７ａの底面（上端面）１７Ａを下方に押圧することにより、ダイ４０の凹部４２の底面４２Ａに押し付けられて潰れる。これにより、凸部１８ａは、ボタン１０の円形面１２と段差のない連続した面のハート形の模様１８（図１参照）となる。以上のようにして中間部材１０ａから飾りボタン１０が得られる。本実施形態では、凸部１８ａを模様１８にする押し潰し加工と中間部材１０ａの中間円筒部１６ａを円筒部１６にする縮径加工とを同時に行ったが、凸部１８ａの押し潰し加工は、中間円筒部１６ａの縮径加工の前又は後に行うことができる他、ボタン１０を生地１に取り付ける時に実行することもできる。なお、模様１８としては、ハート形に限らず、平仮名、片仮名、漢字、アルファベット、数字等の文字；円、楕円、長円、三角形、四角形、多角形、星形等の図形；種々の記号；あるいは、これらの組合せ等とするこができる。
【００２１】
図９は、本発明の第２実施形態に係る金属部品としての、上述した飾りボタン１０の変形例である飾りボタン５０の斜視図である。ボタン５０は、四角錐状のボタン本体５１と、ボタン本体５１から下方に突出する、ボタン１０の軸部係止部１５と同様の軸部係止部５５とを備える。ボタン本体５１は、四つの三角形状の錐面５２を含む。各錐面５２には、各錐面５２の周縁の三辺と平行でやや太い三辺から成る三角形状で、メッキが部分的に除去された平坦な模様５８が設けられている。図１０は、最終的にボタン５０となるダイキャスト半製品である中間部材５０ａの斜視図である。図１０の中間部材５０ａは、その外側面にメッキを施すメッキ工程と、模様５８となる三角形状の凸部５８ａに対応する部分のメッキを除去する工程とを経たものである。中間部材５０ａは、凸部５８ａを除きボタン本体５１と同じ形状すなわち四角錐状の部材本体５１ａと、ボタン５０の軸部係止部５５となる中間軸部係止部５５ａとを備える。部材本体５１ａは四つの錐面（中間外側面）５２を含み、各錐面５２には三角形状の凸部５８ａがそれぞれ設けられている。なお、部材本体５１ａの錐面５２はボタン本体５１の錐面５２と実質的に同じであるため同じ参照番号を付す。このような中間部材５０ａを、図示しない上方ダイと下方ダイの間で圧縮することにより、中間軸部係止部５５ａが縮径加工されて軸部係止部５５となると共に、凸部５８ａが押し潰されて錐面５２と面一の模様５８となって、飾りボタン５０が得られる。本実施形態では、凸部５８ａを除く部材本体５１ａの圧縮加工は行われず、凸部５８ａを除く部材本体５１ａの外形はボタン本体５１の外形と同じである。
【００２２】
図１１は、本発明の第３実施形態に係る金属部品としての、上述した飾りボタン１０の更なる変形例である飾りボタン６０の側面図である。ボタン６０は、凸球面状の表面６２を有する略半球形状のボタン本体６１と、ボタン本体６１から下方に突出する、ボタン１０の軸部係止部１５と同様の軸部係止部６５とを備える。ボタン本体６１の表面６２には、ボタン６０の軸線を中心とした大小二つの円環をやや太い線で描く模様６８が設けられている。模様６８はメッキを部分的に剥離して形成され、表面６２と面一である。図１２は、最終的にボタン６０となるダイキャスト半製品である中間部材６０ａの平面図である。図１２の中間部材６０ａは、その外側面にメッキを施すメッキ工程と、模様６８となる大小二つの円環を成す凸部６８ａに対応する部分のメッキを除去する工程とを経たものである。中間部材６０ａは、凸部６８ａを除きボタン本体６１と同じ外形の部材本体６１ａと、ボタン６０の軸部係止部６５となる中間軸部係止部（図示せず）とを備え、部材本体６１ａの表面（中間外側面）６２に二つの環状の凸部６８ａが設けられている。なお、部材本体６１ａの表面６２はボタン本体６１の表面６２と実質的に同じであるため同じ参照番号を付す。中間部材６０ａを、図示しない上方ダイと下方ダイの間で圧縮することにより、中間軸部係止部が縮径加工されて軸部係止部６５となると共に、凸部６８ａが押し潰されて表面６２と面一の模様６８となって、飾りボタン６０が得られる。
【００２３】
図１３は、本発明の第４実施形態に係る金属部品としての、ボタン又はボタン用止具に用いられるキャップ部材７０を示す斜視図である。キャップ部材７０は、金属板を絞り加工して形成され、図１９に一例を示すボタン１００の表側部材７０として用いられたり、図２０に例示するボタン用止具１２０の基部１２１に付加されたりするものである。キャップ部材７０は、円板部７１と、円板部７１の半径方向外側端から円板部７１の軸方向一方に延びる環状側部７２とを備える。円板部７１及び環状側部７２それぞれの外側面には、キャップ部材７０の地色とは異なる色のメッキが施されており、円板部７１の表面には部分的にメッキを除去して成る、アルファベット８文字（Ａ〜Ｈ）を周方向に並べた模様７８が設けられている。
【００２４】
次に、本発明に係る金属部品の形成方法の別の実施形態として、上述したキャップ部材７０を形成する工程を説明する。図１４は、最終的にキャップ部材７０に加工される半製品である中間部材７０ａを示す斜視図である。中間部材７０ａは、キャップ部材７０の円板部７１及び環状側部７２に対応する中間円板部７１ａ及び環状側部７２（キャップ部材７０の環状側部７２と実質的に同じであるため同じ参照番号を付す）を有する。中間円板部７１ａの表面（中間外側面）には、アルファベット８文字が周方向に並ぶ凸部７８ａが設けられ、これら凸部７８ａは金属板の絞り加工時にプレス成形される。このような中間部材７０ａに対し、図１５に示すように、凸部７８ａを含む中間円板部７１ａ及び環状側部７２の外側面にメッキを施す。次に、図１６に示すように、凸部７８ａに対応する部分のメッキのみを除去し、他の部分のメッキはそのまま残す。次いで、図１７に示すように上方ダイ８０と下方ダイ９０との間で中間部材７０ａの中間円板部７１ａを圧縮する。この時、中間部材７０ａの環状側部７２の内径よりわずかに小さい外径を有する円柱状の上方ダイ８０は、図１８に示すように、環状側部７２の半径方向内側に入り込み、下方ダイ９０の上面に対し中間部材７０ａの中間円板部７１ａを押圧する。これにより凸部７８ａが押し潰され、円板部７１の表面に該面と面一の平坦状の模様７８を有するキャップ部材７０が得られる。
【００２５】
図１９は、キャップ部材７０を表側部材として用いたボタン１００を、止具１１０で生地１に取り付けた状態を示す縦断面説明図である。ボタン１００は、例えばジーンズのフロントボタン等に使用されるもので、キャップ部材７０と、本体部材１０１と、円形の補強板１０２の三部品から構成される。本体部材１０１は、金属板を絞り加工して成り、外側円筒部１０１ａと、内側円筒部１０１ｂと、外側円筒部１０１ａの軸方向上端から半径方向外側に延びる拡径部１０１ｃとを含む。キャップ部材７０は、本体部材１０１の拡径部１０１ｃとの間で補強板１０２を挟み込むように拡径部１０１ｃに加締め付けらる。これらキャップ部材７０、補強板１０２及び拡径部１０１ｃは、ボタン１００における、図示しない生地側のボタンホールに出し入れする拡径部を成す。ボタン１００の生地１への取り付けには止具１１０が用いられる。止具１１０は、円板状の基部１１１と、基部１１１の中央から起立する軸部１１２とを有する。ボタン１００を生地１に取り付ける際には、止具１１０の軸部１１２が生地１を上方に貫通した後、本体部材１０１の内側円筒部１０１ｂを通り、次いで、軸部１１２の先端部が補強板１０２に突き当たって、軸方向に潰れると共に半径方向に膨張するように変形する。これにより、止具１１０の軸部１１２がボタン１００の本体部材１０１内に係止される。キャップ部材７０は、ボタン１００等のボタンの表側部材として用いられる他、図２０に示すように、ボタン用の止具１２０の表側部材（表側がボタンとは逆向きになる）としても使用され得る。止具１２０は、円板状の基部１２１と基部１２１の中央から起立する軸部１２２とを有する。この場合、キャップ部材７０は、止具１２０の基部１２１に対し表側（図２０において下方）から加締め付けられる。なお、図２０において、生地１及びボタン１００は図１９と実質的に同じものであるため同じ参照番号を付している。
【００２６】
図２１は、本発明の第５実施形態に係る金属部品としてのボタン１３０を縦に分割して斜視する説明図である。ボタン１３０は、略円筒状のボタン胴部１３１と、ボタン胴部１３１の軸方向上端部から半径方向外側に延びる円板状の拡径部１３２とを有する。ボタン胴部１３１には、その底面から上方に窪む、止具の軸部を係止するための係止空間１３３が設けられている。係止空間１３３は上方へと拡径し、その上端面は平坦である。拡径部１３２は、ボタン１３０における、図示しない生地のボタンホールに出し入れされる部分である。ボタン１３０の、係止空間１３３が規定する面を除く外側面全域には、ボタン１３０の地色とは異なる色のメッキが施されており、拡径部１３２の表面１３４には、メッキが部分的に除去されて複数の数字（１、２、３、４等）を成す模様１３８が形成されている。なお、模様１３８は拡径部１３２の表面１３４と面一である。図２２は、最終的にボタン１３０となるダイキャスト製品である中間部材１３０ａの図２１と同様の分割斜視図である。中間部材１３０ａは、ボタン１３０のボタン胴部１３１、拡径部１３２、係止空間１３３、及び拡径部１３２の表面（中間外側面）１３４を同様に有するため、これらについて同じ参照番号を用いる。中間部材１３０ａの拡径部１３２の表面１３４には、模様１３８となる複数の数字形状の凸部１３８ａが形成されている。図２２の中間部材１３０ａは、その外側面にメッキを施すメッキ工程と、凸部１３８ａに対応する部分のメッキを除去する工程とを経たものである。このような中間部材１３０ａを、図示しない上方ダイと下方ダイの間で圧縮することにより、凸部１３８ａが押し潰されて拡径部１３２の表面１３４と面一の模様１３８となって、ボタン１３０が得られる。
【００２７】
図２３は、本発明の第６実施形態に係る金属部品としてのボタン用の止具１４０を示す斜視図である。止具１４０は、略円板状の基部１４１と、基部１４１から軸方向一方に延び、先細りする軸部１４２とを備える。止具１４０の外側面全域には、ボタン１４０の地色とは異なる色のメッキが施されており、基部１４１の表面１４３には、メッキが部分的に除去されて花形を成す模様１４８が形成されている。なお、模様１４８は基部１４１の表面１４３と面一である。図２４は、最終的に止具１４０となるダイキャスト製品である中間部材１４０ａの斜視図である。中間部材１４０ａは、止具１４０の基部１４１、軸部１４２、及び基部１４１の表面（中間外側面）１４３を同様に有するため、これらについて同じ参照番号を用いる。中間部材１４０ａの基部１４１の表面１４３には、模様１４８となる花形の凸部１４８ａが形成されている。図２４の中間部材１４０ａは、その外側面にメッキを施すメッキ工程と、凸部１４８ａに対応する部分のメッキを除去する工程とを経たものである。このような中間部材１４０ａを、図示しない上方ダイと下方ダイの間で圧縮することにより、凸部１４８ａが押し潰されて基部１４１の表面１４３と面一の模様１４８となって、止具１４０が得られる。
【００２８】
以上では、本発明に係る金属部品の例として、ボタン、ボタン用止具、及びこれらの構成部品を挙げたが、これに限らず、本発明の金属部品は、以下に述べるようにスライドファスナー用の構成部品であってもよい。図２５は、スライドファスナー１５０の平面説明図である。スライドファスナー１５０は、図２５において上下方向に長い左右一対のファスナーテープ（以下単に「テープ」ともいう）１５１と、各テープ１５１の対向側縁部に取り付けられた左右の多数のファスナーエレメント（以下単に「エレメント」ともいう）１６０と、左右のテープ１５１のエレメント１６０間を開閉するために手動により上下動させるスライダー１７０と、使用者がスライダー１７０を移動させる際に指で引く、スライダー１７０に連結される引手１８０と、左右のテープ１５１間のエレメント１６０の最下部下に取り付けられ、スライダー１７０のそれ以上下方への移動を不可とする下止具１９０と、エレメント１６０の最上部上の左右のテープ１５１の対向側縁部に取り付けられ、スライダー１７０のそれ以上上方への移動を不可とする左右の上止具１５２とを備える。エレメント１６０、スライダー１７０、引手１８０、下止具１９０、上止具１５２等は金属製の部品であり、本発明に係る金属部品として形成することができ、エレメント１６０、スライダー１７０、引手１８０及び下止具１９０の実施形態を以下に説明する。なお、図２５では下止具１９０についてのみメッキ被覆及び模様１９８を示し、エレメント１６０、スライダー１７０及び引手１８０についてはメッキ被覆及び模様を省略している。
【００２９】
図２６は、本発明の第７実施形態に係る金属部品としてのスライドファスナー用の下止具１９０を示す斜視図である。下止具１９０は、表面１９３にアルファベットＡ、Ｂ及びＣを成す模様１９８を有する長方形板状の止具本体１９１と、止具本体１９１の裏面から突出し、先細りする二つの軸部１９２とを備える。模様１９８を除く下止具１９０の外側面全域には、下止具１９０の地色とは異なる色のメッキが施されている。止具本体１９１の表面１９３の模様１９８は、メッキが部分的に除去されて形成される。模様１９８は止具本体１９１の表面１９３と面一である。図２７は、最終的に下止具１９０となるダイキャスト製品である中間部材１９０ａの斜視図である。中間部材１９０ａは、下止具１９０の止具本体１９１、軸部１９２、及び止具本体１９１の表面（中間外側面）１９３を同様に有するため、これらについて同じ参照番号を用いる。中間部材１９０ａの止具本体１９１の表面１９３には、模様１９８となるＡ、Ｂ及びＣ形状の三つの凸部１９８ａが形成されている。各凸部１９８ａは、表面１９３と平行な上面１９８ｂと、表面１９３に対しほぼ垂直で、上面１９８ｂの外側周縁及び内側周縁と表面１９３との間に延びる（複数の）側面１９８ｃとを有する。次に、図２８に示すように、上記中間部材１９０ａの外側面全域に中間部材１９０ａの地色と異なる色のメッキを施す。なお、この際、止具本体１９１の凸部１９８ａを含む表面１９３のみ、あるいは表面１９３及び止具本体１９１の四側面のみをメッキ処理してもよい。次いで、メッキを施した中間部材１９０ａの外側面のうち、凸部１９８ａの上面１９８ｂ及び側面１９８ｃのメッキのみを研磨等により除去し、凸部１９８ａ以外の表面１９３を含む外側面におけるメッキはそのまま残す。これにより、図２９に示すように、凸部１９８ａが中間部材１９０ａの地色を露出する。なお、この際、凸部１９８ａの上面１９８ｂ上のメッキのみを除去し、凸部１９８ａの側面１９８ｃ上のメッキを残すようにしてもよい。更に別法として、中間部材１９０ａの外側面をメッキ処理する際、凸部１９８ａをマスクして凸部１９８ａのみがメッキされないようにしてもよい。このような中間部材１９０ａを、図示しない上方ダイと下方ダイの間で圧縮することにより、凸部１９８ａが押し潰されて、表面１９３と段差のない連続した面の模様１９８となって、下止具１９０が得られる。
【００３０】
図３０は、図２５のＡ−Ａ線に沿う部分断面説明図であり、下止具１９０が左右のファスナーテープ１５１間に取り付けられた状態を示す。下止具１９０をテープ１５１に取り付ける場合、止具本体１９１が左右のテープ１５１の表側に配置され、軸部１９２が両テープ１５１間からテープ１５１の裏面側へと通される。次いで、軸部１９２の先端部が別個の取付用のバックプレート１９４の係止穴１９５に通された後、加締められる。これにより、下止具１９０がテープ１５１間に固定される。図３１は下止具の変形例であり、この下止具２００は、それぞれ長方形板状の表板部２０１及び裏板部２０２と、表裏板部２０１、２０２間を連結する連結部２０３とを備える。連結部２０３は、表裏板部２０１、２０２の長手方向（図３１の紙面前後方向）に延びている。下止具２００は表板部２０１の表面にメッキを部分的に除去して成る模様（図示せず）を有する。図３１は、下止具２００が左右のテープ１５１ａ、１５１ｂに対して連結された状態を示す。この連結状態において、表板部２０１の左側部分２０１ａと裏板部２０２の左側部分２０２ａとが互いに平行な閉状態となって左方のテープ１５１ａの縁部を挟持し、同様に表板部２０１の右側部分２０１ｂと裏板部２０２の右側部分２０２ｂも互いに平行になって右方のテープ１５１ｂの縁部を挟持している。なお、テープ１５１ａ、１５１ｂへの連結前は、表板部２０１の左側部分２０１ａと裏板部２０２の左側部分２０２ａとの間の間隔及び右側部分２０１ｂ、２０２ｂ間の間隔は、上下により開いた開状態となっている。この開状態の表板部２０１及び裏板部２０２の左右両側部分２０１ａ、２０２ａ、２０１ｂ、２０２ｂ間に左右のテープ１５１ａ、１５１ｂの縁部をそれぞれ挿入した後、左右両側部分２０１ａ、２０２ａ、２０１ｂ、２０２ｂをプレスにより平行に閉じることにより、下止具２００がテープ１５１ａ、１５１ｂに連結される。
【００３１】
図３２は、本発明の第８実施形態に係る金属部品としてのスライドファスナー用の引手１８０を示す斜視図である。引手１８０は、スライダー１７０に連結するための開口１８１を有する長方形板状の部材である。引手１８０の外側面全域には、引手１８０の地色とは異なる色のメッキが施されており、引手１８０の一面（以下「表面」という）１８２には、メッキが部分的に除去されて文字Ａ及びＢを成す模様１８８が形成されている。なお、模様１８８は表面１８２と面一である。図３３は、最終的に引手１８０となるダイキャスト製品である中間部材１８０ａの斜視図である。中間部材１８０ａは、引手１８０の開口１８１、及び表面（中間外側面）１８２を同様に有するため、これらについて同じ参照番号を用いる。中間部材１８０ａの表面１８２には、模様１８８となるＡ及びＢ形状の二つの凸部１８８ａが形成されている。図３３の中間部材１８０ａは、その外側面にメッキを施すメッキ工程と、凸部１８８ａに対応する部分のメッキを除去する工程とを経たものである。このような中間部材１８０ａを、図示しない上方ダイと下方ダイの間で圧縮することにより、凸部１８８ａが押し潰されて表面１８２と面一の模様１８８となって、引手１８０が得られる。なお、模様１８８は表面１８２のみならず表面１８２とは反対側の面にも設けることができる。
【００３２】
図３４は、本発明の第９実施形態に係る金属部品としてのスライドファスナー用のスライダー１７０を示す斜視図である。スライダー１７０は、上翼板１７１と、下翼板１７２と、上下翼板１７１、１７２間を連結する案内柱１７３と、上翼板１７１の上面に形成される、引手１８０が連結される、ブリッジ形状の引手連結部１７４とを含む。スライダー１７０の外側面全域には、スライダー１７０の地色とは異なる色のメッキが施されており、引手連結部１７４の上面１７５には、メッキが部分的に除去されて文字Ａ、Ｂ及びＣを成す模様１７８が形成されている。なお、模様１７８は上面１７５と面一である。図３５は、最終的にスライダー１７０となるダイキャスト製品である中間部材１７０ａの斜視図である。中間部材１７０ａは、スライダー１７０の上翼板１７１、下翼板１７２、案内柱１７３、引手連結部１７４、及び引手連結部１７４の上面（中間外側面）１７５を同様に有するため、これらについて同じ参照番号を用いる。中間部材１７０ａの引手連結部１７４の上面１７５には、模様１７８となるＡ、Ｂ及びＣ形状の三つの凸部１７８ａが形成されている。図３５の中間部材１７０ａは、その外側面にメッキを施すメッキ工程と、凸部１７８ａに対応する部分のメッキを除去する工程とを経たものである。このような中間部材１７０ａを、図示しない上方ダイと下方ダイの間で圧縮することにより、凸部１７８ａが押し潰されて上面１７５と面一の模様１７８となって、スライダー１７０が得られる。
【００３３】
図３６は、本発明の第１０実施形態に係る金属部品としてのスライドファスナー用の複数のファスナーエレメント１６０がファスナーテープ１５１の縁部に連結された状態を破断して示す斜視説明図である。エレメント１６０は、噛合頭部１６１と、噛合頭部１６１から二股に分かれて延び、ファスナーテープ１５１の縁部を挟持する上方脚部１６２ａ及び下方脚部１６２ｂとを含む。噛合頭部１６１は、図示しない他方側のテープに取り付けられたエレメントの噛合頭部と噛合及び噛合解除させられる。エレメント１６０の外側面全域には、エレメント１６０の地色とは異なる色のメッキが施されており、上方脚部１６２ａの上面１６３ａ及び下方脚部１６２ｂの下面１６３ｂには、メッキが部分的に除去されて文字Ｚを成す模様１６８が形成されている。なお、模様１６８は上面１６３ａ又は下面１６３ｂと面一である。図３７は、最終的にエレメント１６０となるダイキャスト製品である中間部材１６０ａの正面図であり、中間部材１６０ａの上方及び下方脚部１６２ａ、１６２ｂは、テープ１５１に連結される前の開状態にある。中間部材１６０ａは、エレメント１６０の噛合頭部１６１、上方脚部１６２ａ、下方脚部１６２ｂ、上方脚部１６２ａの上面（中間外側面）１６３ａ、及び下方脚部１６２ｂの下面（中間外側面）１６３ｂを同様に有するため、これらについて同じ参照番号を用いる。中間部材１６０ａの上方脚部１６２ａの上面１６３ａ及び下方脚部１６２ａの下面１６３ｂには、模様１６８となるＺ形状の凸部１６８ａ（図３７では凸部１６８ａの側部のみが表される）が形成されている。図３７の中間部材１６０ａは、その外側面にメッキを施すメッキ工程と、凸部１６８ａに対応する部分のメッキを除去する工程とを経たものである。また、上述したように上方及び下方脚部１６２ａ、１６２ｂは開状態であり、上方及び下方脚部１６２ａ、１６２ｂ間の間隔は先端へと次第に拡大している。このような中間部材１６０ａを、図示しない取付装置でテープ１５１の縁部に取り付ける際、上方及び下方脚部１６２ａ、１６２ｂをこれらが互いに平行になるように閉じると同時に凸部１６８ａを押し潰すことにより、上方脚部１６２ａの上面１６３ａ又は下方脚部１６２ｂの下面１６３ｂと面一の模様１６８を有するエレメント１６０がテープ１５１に連結された状態で得られる。
【００３４】
図３８は、本発明の第１１実施形態に係る金属部品としての、衣類、鞄類等に装飾等のために取り付けられる金属プレート２１０を示す斜視図である。本実施形態の金属プレート２１０は一例として長方形板であるが、これに限らず、円形、楕円形、長円形、多角形、星形、ハート形等であってもよい。金属プレート２１０の外側面全域には、金属プレート２１０の地色とは異なる色のメッキが施されており、金属プレート２１０の表面２１１には、部分的に除去されて文字Ａ、Ｂ及びＣを成す模様２１８が形成されている。なお、模様２１８は表面２１１と面一である。なお、参照番号２１２は、金属プレート２１０を衣服、鞄、ベルト等に取り付ける際に糸、止具等を通す穴である。図３９は、最終的に金属プレート２１０となる中間部材２１０ａの斜視図である。中間部材２１０ａは表面（中間外側面）２１１に模様２１８となるＡ、Ｂ及びＣ形状の三つの凸部２１８ａが形成されている。なお、中間部材２１０ａの表面２１１は金属プレート２１０の表面２１１と実質的に同じであるため同じ参照番号を付す。図３９の中間部材２１０ａは、その外側面にメッキを施すメッキ工程と、凸部２１８ａに対応する部分のメッキを除去する工程とを経たものである。このような中間部材２１０ａを、図示しない上方ダイと下方ダイの間で圧縮することにより、凸部２１８ａが押し潰されて表面２１１と面一の模様２１８となって、金属プレート２１０が得られる。
【００３５】
以上の実施形態では、中間部材の外側面をメッキ処理する例を挙げたが、これに限らず、中間部材に染料を塗布もしくは浸漬して外側面を着色するようにすることもできる。
【符号の説明】
【００３６】
１０、５０、６０  飾りボタン
１０ａ、５０ａ、６０ａ、７０ａ、１３０ａ、１４０ａ、１６０ａ、１７０ａ、１８０ａ、１９０ａ、２１０ａ  中間部材
１１  ボタン本体
１２  円形面
１２ａ  中間円形面
１６  円筒部
１６ａ  中間円筒部
１８、５８、６８、７８、１３８、１４８、１６８、１７８、１８８、１９８、２１８  模様
１８ａ、５８ａ、６８ａ、７８ａ、１３８ａ、１４８ａ、１６８ａ、１７８ａ、１８８ａ、１９８ａ、２１８ａ  凸部
５２  錐面
６２  表面
７０  キャップ部材
１３０  ボタン
１３４  表面
１４０  止具
１４３  表面
１６０  ファスナーエレメント
１６３ａ  上面
１６３ｂ  下面
１７０  スライダー
１７５  上面
１８０  引手
１８２  表面
１９０、２００  下止具
１９３  表面
２１０  金属プレート
２１１  表面
【図１】
2012056519.tif 000003
【図２】
2012056519.tif 000004
【図３】
2012056519.tif 000005
【図４】
2012056519.tif 000006
【図５】
2012056519.tif 000007
【図６】
2012056519.tif 000008
【図７】
2012056519.tif 000009
【図８】
2012056519.tif 000010
【図９】
2012056519.tif 000011
【図１０】
2012056519.tif 000012
【図１１】
2012056519.tif 000013
【図１２】
2012056519.tif 000014
【図１３】
2012056519.tif 000015
【図１４】
2012056519.tif 000016
【図１５】
2012056519.tif 000017
【図１６】
2012056519.tif 000018
【図１７】
2012056519.tif 000019
【図１８】
2012056519.tif 000020
【図１９】
2012056519.tif 000021
【図２０】
2012056519.tif 000022
【図２１】
2012056519.tif 000023
【図２２】
2012056519.tif 000024
【図２３】
2012056519.tif 000025
【図２４】
2012056519.tif 000026
【図２５】
2012056519.tif 000027
【図２６】
2012056519.tif 000028
【図２７】
2012056519.tif 000029
【図２８】
2012056519.tif 000030
【図２９】
2012056519.tif 000031
【図３０】
2012056519.tif 000032
【図３１】
2012056519.tif 000033
【図３２】
2012056519.tif 000034
【図３３】
2012056519.tif 000035
【図３４】
2012056519.tif 000036
【図３５】
2012056519.tif 000037
【図３６】
2012056519.tif 000038
【図３７】
2012056519.tif 000039
【図３８】
2012056519.tif 000040
【図３９】
2012056519.tif 000041
【国際調査報告】
2012056519.tif 000042
2012056519.tif 000043
2012056519.tif 000044
2012056519.tif 000045